(57)【特許請求の範囲】
【請求項１】
１枚の眼科用レンズの計算方法であって、上記眼科用レンズは、光学関数によって特定され、少なくとも２つの光学表面が第１の等式によって定義される第１の光学表面と第２の等式によって定義される第２の光学表面とを含み、
所定の着用者のための１枚の眼科用レンズの光学関数に関連する仮想着用者眼科用レンズエルゴラマシステムを決定するための計算手段により実行される方法によって決定される仮想着用者眼科用レンズエルゴラマシステムに基づいて光学関数を決定する光学関数決定ステップと、
上記第２の等式を上記光学関数および上記第１の等式から計算する計算ステップとを含み、
上記光学関数決定ステップは、
着用者の指示を表す指示データ（ＰＤ）が提供される指示データ提供ステップＳ１と、
着用者の指示に対応する光学基準表面を表す表面データ（ＳＤ）が提供される光学基準表面データ提供ステップＳ２と、
上記指示データおよび上記表面データを用いて仮想着用者眼科用レンズエルゴラマシステム（ＷＬＥＳ）が決定される仮想着用者眼科用レンズエルゴラマシステム決定ステップＳ３と、
仮想着用者眼科用レンズエルゴラマシステム（ＷＬＥＳ）に関連する上記光学関数の少なくとも一つの光学判定基準が選択される判定基準選択ステップＳ４と、
選択された少なくとも一つの上記光学判定基準に対し、その光学判定基準に関連する目標値が定義される目標値定義ステップＳ５と、
仮想着用者眼科用レンズエルゴラマシステム（ＷＬＥＳ）に関連する上記光学関数の、選択された少なくとも一つの上記光学判定基準の評価値が評価される評価ステップＳ６と、
上記目標値と上記評価値との差を最小化するために、眼科用レンズの基本曲線と異なる、仮想着用者眼科用レンズエルゴラマシステムの少なくとも一つのパラメータが修正される修正ステップＳ７と、を含み、
上記修正ステップＳ７において、着用者の指示に対応する上記光学基準表面を表す上記表面データ（ＳＤ）が不変であることを特徴とする方法。
【請求項２】
少なくとも一つの上記光学判定基準が、
中央視覚の度数、中央視覚の非点収差、中央視覚の高次の収差、中央視覚の鋭敏さ、中央視覚のコントラスト、中央視覚のプリズム偏差、目の偏差、中央視覚の対象視野、中央視覚の画像視野、および中央視覚の倍率からなる中央視覚判定基準（ＣＶＯＣ）グループ、
周辺視覚の度数、周辺視覚の非点収差、周辺視覚の高次の収差、瞳領域光線偏差、周辺視覚の対象視野、周辺視覚の画像視野、周辺視覚のプリズム偏差、および周辺視覚の倍率からなる周辺視覚判定基準（ＰＶＯＣ）グループ、
目の倍率およびこめかみの移動からなる全体的光学判定基準（ＧＯＣ）グループ、からなる３つの判定基準グループのうちの一つまたはいくつかから選択され、
選択された各判定基準に対する上記目標値定義ステップにおいて、
その判定基準が中央視覚判定基準グループまたは周辺視覚判定基準グループに属する場合は、一つまたはいくつかの評価領域およびその評価領域に関連する目標値のセットを含む評価区域が定義され、または、
その判定基準が全体的光学判定基準グループに属する場合は、その判定基準に関連する目標値が定義され、
さらに、上記評価ステップにおいて、
選択された判定基準が中央視覚判定基準グループまたは周辺視覚判定基準グループに属する場合は、その評価領域に関連する判定基準値のセットが評価されることを特徴とする請求項１に記載の方法。
【請求項３】
上記修正ステップにおいて、停止判定基準が満足されるまで上記評価ステップを繰り返すことによって、上記目標値を考慮したコスト関数を最小化するために、仮想着用者眼科用レンズエルゴラマシステムの少なくとも一つの上記パラメータが修正されることを特徴とする請求項１または２に記載の方法。
【請求項４】
コスト関数Ｊが、式
【数１】
0005918137.tif 000017
に従って数学的に表現され、
ここで、
ｋおよびｉは整数の変数であり、
Ｎ１は、１に等しいかそれより大きい整数であり、中央視覚判定基準グループおよび周辺視覚判定基準グループに属する選択された判定基準の数を表し、
Ｎ２は、１に等しいかそれより大きい整数であり、全体的光学判定基準グループに属する選択された判定基準の数を表し、
Ｍｋは、１に等しいかそれより大きい整数であり、インデックスｋの中央視覚判定基準グループまたは周辺視覚判定基準グループに属する判定基準に対する評価領域の数を表し、
ｖは、仮想着用者眼科用レンズエルゴラマシステムのパラメータを定義し、
ｗｉｋは、インデックスｋの中央視覚判定基準グループまたは周辺視覚判定基準グループに属する判定基準と、インデックスｉの評価領域とに関連する重みであり、
ｗ’ｋは、インデックスｋの全体的光学判定基準グループに属する判定基準に関連する重みであり、
Ｄｉｋは、インデックスｋの中央視覚判定基準グループまたは周辺視覚判定基準グループに属する判定基準に関連する評価区域のインデックスｉの評価領域であり、
Ｈｋは、インデックスｋの中央視覚判定基準グループまたは周辺視覚判定基準グループに属する判定基準に対する判定基準値と、評価領域Ｄｉｋと、そのパラメータｖによって定義される仮想着用者眼科用レンズエルゴラマシステムとを関連付け、
Ｈ’ｋは、インデックスｋの全体的光学判定基準グループに属する判定基準に対する判定基準値と、そのパラメータｖによって定義される仮想着用者眼科用レンズエルゴラマシステムとを関連付け、
Ｔｉｋは、インデックスｋの中央視覚判定基準グループまたは周辺視覚判定基準グループに属する判定基準の、評価領域Ｄｉｋに関連する目標値のセットのインデックスｉの目標値であり、
Ｔ’ｋは、インデックスｋの全体的光学判定基準グループに属する判定基準に関連する目標値であることを特徴とする請求項３に記載の方法。
【請求項５】
仮想着用者眼科用レンズエルゴラマシステムの少なくとも一つの上記パラメータが、
瞳径、瞳位置、目の回転中心位置、目の異なるジオプトリーの位置、目の異なるジオプトリーの湾曲、目の異なる環境のインデックスからなる目パラメータグループ、
眼科用レンズの所定ポイントでの緊張、眼科用レンズのプリズム、基板のインデックスからなる眼科用レンズパラメータグループ、
頂点距離、広角角度、全巻き角からなる着用パラメータグループ、および、
各目の注視方向の関数としての距離の再区分からなる対象空間パラメータグループ、
からなる４つのパラメータグループの一つまたはいくつかの間から選択されることを特徴とする請求項１ないし４のいずれか１項に記載の方法。
【請求項６】
上記眼科用レンズが多焦点眼科用レンズであることを特徴とする請求項１ないし５のいずれか１項に記載の方法。
【請求項７】
上記眼科用レンズのパラメータグループが、さらに、多焦点眼科用レンズの異なる表面の追加を含むことを特徴とする請求項５または６に記載の方法。
【請求項８】
選択された判定基準が、中央視覚判定基準グループに属し、関連する評価領域が、少なくとも一つの注視方向を含み、この方向が、目の回転中心と関連する基準軸に関して考慮され、判定基準評価に対する目の回転中心からの光線の追跡を実行するのに用いられることを特徴とする請求項２ないし７のいずれか１項に記載の方法。
【請求項９】
選択された判定基準が、周辺視覚判定基準グループに属し、関連する評価領域が、少なくとも一つの周辺光線方向を含み、この方向が、決定された注視方向に沿って移動する入射瞳中心と関連する基準軸に関して考慮され、判定基準評価に対する入射瞳中心からの光線の追跡を実行するのに用いられることを特徴とする請求項２ないし７のいずれか１項に記載の方法。
【請求項１０】
眼科用レンズの製造方法であって、上記眼科用レンズが、光学関数によって特定され、少なくとも２つの光学表面が、第１の等式によって定義される第１の光学表面と、第２の等式によって定義される第２の光学表面とを含み、
上記第２の等式が、上記光学関数および上記第１の等式から計算される、請求項１から９のいずれか１項に記載の計算方法による計算ステップと、
上記第１の光学表面を有する、半分完成した眼科用レンズが提供される、半分完成眼科用レンズ提供ステップと、
半分完成した眼科用レンズが機械加工され、さらに、上記第２の等式によって定義される上記第２の光学表面を提供されて、眼科用レンズが得られる機械加工ステップとを含んでいることを特徴とする製造方法。
【発明の詳細な説明】
【発明の詳細な説明】
【０００１】
本発明は、所定の着用者のための眼科用レンズの光学関数に関連する仮想着用者眼科用レンズエルゴラマシステムを決定するために計算手段により実行される方法に関する。本発明はさらに、仮想着用者眼科用レンズエルゴラマシステムに関連する光学関数を有する眼科用レンズの計算方法および製造方法に関する。
【０００２】
一般的な実務に沿い、着用者指示に対応する一対の眼科用レンズを得るために、半分完成された眼科用レンズ素材が、レンズ製造者によって、指示研究室へ提供される。一般に、半分完成された眼科用レンズ素材は、光学基準表面に対応する第１の表面、例えば、累進多焦点レンズの場合には多焦点表面、および、第２の球面を備えている。着用者指示に基づいて、適切な光学特性を有する標準的な半分完成したレンズ素材が選択される。後ろの球面は、最後には、指示研究室によって機械加工されて磨かれ、指示に応じた球−円環表面が得られる。このようにして、指示に応じた光学眼科用レンズが得られる。
【０００３】
眼科用レンズの光学特性を改善するために、眼科用レンズのパラメータの最適化法が用いられる。このような最適化法は、所定の目標の光学関数にできるだけ近い眼科用レンズの光学関数を有するように設計される。目標の光学関数は、眼科用レンズが備えるべき光学特性を表す。
【０００４】
いくつかのケースでは、眼科用レンズは最適化されるが、最適化された眼科用レンズの光学関数は、目標の光学関数に達しないことがある。いくつかのケースでは、最適化された眼科用レンズの光学関数は、眼科用レンズが最適化されていないケースよりも悪い光学特性を有することもある。
【０００５】
本発明は、この状況を改善することを目的としている。
【０００６】
この目的のために、本発明は、所定の着用者のための眼科用レンズの光学関数に関連する仮想着用者眼科用レンズエルゴラマシステムを決定するために計算手段により実行される方法であって、
着用者の指示を表す指示データが提供される指示データ提供ステップと、
着用者の指示に対応する光学基準表面を表す表面データが提供される光学基準表面データ提供ステップと、
指示データおよび表面データを用いて仮想着用者眼科用レンズエルゴラマシステムが決定される仮想着用者眼科用レンズエルゴラマシステム決定ステップと、
仮想着用者眼科用レンズエルゴラマシステムに関連する光学関数の少なくとも一つの判定基準が選択される判定基準選択ステップと、
選択された少なくとも一つの判定基準に対し、その判定基準に関連する目標値が定義される目標値定義ステップと、
仮想着用者眼科用レンズエルゴラマシステムに関連する光学関数の、選択された少なくとも一つの判定基準の評価値が評価される評価ステップと、
目標値と評価判定基準値との差を最小化するために、眼科用レンズの基本曲線と異なる、仮想着用者眼科用レンズエルゴラマシステムの少なくとも一つのパラメータが修正される修正ステップと、を含み、
上記修正ステップにおいて、着用者の指示に対応する光学基準表面を表す表面データが不変である。
【０００７】
有利には、本発明に係る方法は、仮想着用者眼科用レンズエルゴラマシステムを提供し、それゆえ、前もって選択された判定基準に沿って決定されることができるようなシステムに関連した光学関数を提供する。
【０００８】
有利には、決定された仮想着用者眼科用レンズエルゴラマシステムに関連する光学関数は、従来の光学関数よりも、光学収差のレベルが低い。
【０００９】
さらに、光学基準表面の本発明の方法における使用は、決定された仮想着用者眼科用レンズエルゴラマシステムに関連する光学関数を表す光学レンズを設計することを確実に可能にすることができる。
【００１０】
有利には、仮想着用者眼科用レンズエルゴラマシステムおよびそれゆえこのようなシステムに関連する光学関数は、このような光学関数を表す眼科用レンズを決定することを確実に可能にするように最適化されることができる。または、少なくとも、その光学関数が所望の光学関数に対応するようになるように眼科用レンズのパラメータを最適化するときに眼科用レンズの光学特性が改善されることを確実にするように最適化されることができる。
【００１１】
本発明のさらなる実施形態によれば、本発明に係る方法は、以下の特徴を単独または組み合わせて有する：
少なくとも一つの光学判定基準が、
中央視覚の度数、中央視覚の非点収差、中央視覚の高次の収差、中央視覚の鋭敏さ、中央視覚のコントラスト、中央視覚のプリズム偏差、目の偏差、中央視覚の対象視野、中央視覚の画像視野、中央視覚の倍率、および、これらの判定基準の変形物からなる中央視覚判定基準（ＣＶＯＣ）グループ、
周辺視覚の度数、周辺視覚の非点収差、周辺視覚の高次の収差、瞳領域光線偏差、周辺視覚の対象視野、周辺視覚の画像視野、周辺視覚のプリズム偏差、周辺視覚の倍率、および、これらの判定基準の変形物からなる周辺視覚判定基準（ＰＶＯＣ）グループ、
目の倍率およびこめかみの移動からなる全体的光学判定基準（ＧＯＣ）グループ、からなる３つの判定基準グループのうちの一つまたはいくつかから選択され、
選択された各判定基準に対する目標値定義ステップにおいて、
その判定基準が中央視覚判定基準グループまたは周辺視覚判定基準グループに属する場合は、一つまたはいくつかの評価領域およびその評価領域に関連する目標値のセットを含む評価区域が定義され、または、
その判定基準が全体的判定基準グループに属する場合は、その判定基準に関連する目標値が定義され、
さらに、評価ステップにおいて、
選択された判定基準が中央視覚判定基準グループまたは周辺視覚判定基準グループに属する場合は、その評価領域に関連する判定基準値のセットが評価され、
修正ステップにおいて、停止判定基準が満足されるまで評価ステップを繰り返すことによって、目標値を考慮したコスト関数を最小化するために、仮想着用者眼科用レンズエルゴラマシステムの少なくとも一つのパラメータが修正され、
コスト関数が、
中央視覚判定基準グループおよび周辺視覚判定基準グループに属する判定基準に対し、評価領域に関連する判定基準値と評価領域に関連する目標値との差の２乗の、評価領域全体の和、および、
全体的光学判定基準グループに属する判定基準に対し、判定基準値と目標値との差の２乗の、
選択された判定基準全体の和であり、
コスト関数Ｊが、式
【００１２】
【数１】
0005918137.tif 000002
【００１３】
に従って数学的に表現され、
ここで、
ｋおよびｉは整数の変数であり、
Ｎ１は、１に等しいかそれより大きい整数であり、中央視覚判定基準グループおよび周辺視覚判定基準グループに属する選択された判定基準の数を表し、
Ｎ２は、１に等しいかそれより大きい整数であり、全体的光学判定基準グループに属する選択された判定基準の数を表し、
Ｍｋは、１に等しいかそれより大きい整数であり、インデックスｋの中央視覚判定基準グループまたは周辺視覚判定基準グループに属する判定基準に対する評価領域の数を表し、
ｖは、仮想着用者眼科用レンズエルゴラマシステムのパラメータを定義し、
ｗｉｋは、インデックスｋの中央視覚判定基準グループまたは周辺視覚判定基準グループに属する判定基準と、インデックスｉの評価領域とに関連する重みであり、
ｗ’ｋは、インデックスｋの全体的光学判定基準グループに属する判定基準に関連する重みであり、
Ｄｉｋは、インデックスｋの中央視覚判定基準グループまたは周辺視覚判定基準グループに属する判定基準に関連する評価区域のインデックスｉの評価領域であり、
Ｈｋは、インデックスｋの中央視覚判定基準グループまたは周辺視覚判定基準グループに属する判定基準に対する判定基準値と、評価領域Ｄｉｋと、そのパラメータｖによって定義される仮想着用者眼科用レンズエルゴラマシステムとを関連付け、
Ｈ’ｋは、インデックスｋの全体的光学判定基準グループに属する判定基準に対する判定基準値と、そのパラメータｖによって定義される仮想着用者眼科用レンズエルゴラマシステムとを関連付け、
Ｔｉｋは、インデックスｋの中央視覚判定基準グループまたは周辺視覚判定基準グループに属する判定基準の、評価領域Ｄｉｋに関連する目標値のセットのインデックスｉの目標値であり、
Ｔ’ｋは、インデックスｋの全体的光学判定基準グループに属する判定基準に関連する目標値であり、
仮想着用者眼科用レンズエルゴラマシステムの少なくとも一つのパラメータが、
瞳径、瞳位置、目の回転中心位置、目の異なるジオプトリーの位置、例えば網膜、目の異なるジオプトリーの湾曲、例えば網膜、目の異なる環境のインデックスからなる目パラメータグループ、
眼科用レンズの所定ポイントでの緊張、眼科用レンズのプリズム、基板のインデックスからなる眼科用レンズパラメータグループ、
頂点距離、広角角度、全巻き角からなる着用パラメータグループ、および、
各目の注視方向の関数としての距離の再区分および／または対象のサイズからなる対象空間パラメータグループ、
からなる４つのパラメータグループの一つまたはいくつかの間から選択され、
眼科用レンズが多焦点眼科用レンズであり、
眼科用レンズのパラメータグループが、さらに、多焦点眼科用レンズの異なる表面の追加を含み、
選択された判定基準が、中央視覚判定基準グループに属し、関連する評価領域が、少なくとも一つの注視方向を含み、この方向が、目の回転中心と関連する基準軸に関して考慮され、判定基準評価に対する目の回転中心からの光線の追跡を実行するのに用いられ、
選択された判定基準が、周辺視覚判定基準グループに属し、関連する評価領域が、少なくとも一つの周辺光線方向を含み、この方向が、決定された注視方向に沿って移動する入射瞳中心と関連する基準軸に関して考慮され、判定基準評価に対する入射瞳中心からの光線の追跡を実行するのに用いられる。
【００１４】
本発明はまた、眼科用レンズの計算方法に関し、上記眼科用レンズが、光学関数によって特定され、少なくとも２つの光学表面が、第１の等式によって定義される第１の光学表面と、第２の等式によって定義される第２の光学表面とを含み、
本方法が、
上記光学関数が、本発明によって決定された仮想着用者眼科用レンズエルゴラマシステムから決定される、光学関数決定ステップと、
上記第２の等式が、上記光学関数および上記第１の等式から計算される計算ステップとを含んでいる。
【００１５】
本発明はまた、眼科用レンズの製造方法に関し、上記眼科用レンズが、光学関数によって特定され、少なくとも２つの光学表面が、第１の等式によって定義される第１の光学表面と、第２の等式によって定義される第２の光学表面とを含み、
本方法が、
上記第２の等式が、上記光学関数および上記第１の等式から計算される、本発明に係る計算ステップと、
第１の表面を有する、半分完成した眼科用レンズが提供される、半分完成眼科用レンズ提供ステップと、
半分完成した眼科用レンズが機械加工され、さらに、第２の等式によって定義される第２の表面を提供されて、眼科用レンズが得られる機械加工ステップとを含んでいる。
【００１６】
本発明はまた、プロセッサにアクセス可能な、１つまたはそれより多い格納された一連の指示を含み、プロセッサによって実行されるときに、プロセッサに、本発明に係る方法のステップを実行させることを特徴とするコンピュータプログラム製品、および、本発明に係るコンピュータプログラム製品の１つまたはそれより多い一連の指示を実行することを特徴とするコンピュータ読み取り可能な記録媒体に関する。
【００１７】
他の説明を特にしない限り、以下の議論から明らかなように、明細書の全体で、「演算」、「計算」、「生成」などの用語を用いる議論は、物理的、例えば電子的な量として表されるデータを動作するおよび／または転送するコンピュータまたはコンピュータシステムまたは同様の電子計算機の動作および／または処理をコンピュータシステムのレジスタおよび／またはメモリの中で、コンピュータシステムのメモリ、レジスタまたは他のこのような情報記憶部、転送または表示装置の中で、物理的な量として同様に表される他のデータに参照する。
【００１８】
本発明の実施形態は、ここでの操作を実行する装置を含んでよい。この装置は、所望の目的のために特に構成されてもよく、または、一般目的のコンピュータや、選択的に活性化されたまたはコンピュータ内に格納されたコンピュータプログラムによって再構成されたデジタルシグナルプロセッサ（「ＤＳＰ」）を備えてもよい。このようなコンピュータプログラムは、コンピュータが読み取り可能な記録媒体に格納してよい。例えば、限定されないが、フロッピー（登録商標）ディスク、光ディスク、ＣＤ−ＲＯＭ、光磁気ディスク、リードオンリーメモリ（ＲＯＭ）、ランダムアクセスメモリ（ＲＡＭ）、電気的にプログラム可能なリードオンリーメモリ（ＥＰＲＯＭ）、電気的に消去可能でプログラム可能なリードオンリーメモリ（ＥＥＰＲＯＭ（登録商標））、磁気または光カード、または電子的な指示の格納に適してコンピュータシステムバスに結合可能な他の任意のタイプのメディアである。
【００１９】
ここで示す処理と表示は、特定のコンピュータや他の装置に本質的に関係ない。ここでの教示に従い、種々の一般目的のシステムがプログラムとともに使用可能であり、または、所望の方法を実行するのにより特定された装置を構成することも便利であることがわかるであろう。これらの種々のシステムに対する所望の構成が以下の記述から明らかになるであろう。また、本発明の実施形態は、特定のプログラミング言語に関連して記載はしていない。ここに記載するような本発明の教示を実行するためには、種々のプログラミング言語が使用可能であることが理解されるであろう。
【００２０】
本発明の意味において、好ましくは、「最適化」は、実際の関数の「最小化」と理解される。もちろん、当業者は、本発明が本質的には最小化に限定されないことを理解するであろう。最適化は、実際の関数の最大化であることもありうる。すなわち実際の関数の最大化はその反対の「最小化」と等価である。
【００２１】
本発明の範囲において、前述の用語は、以下の定義に沿って理解される：
−「光学システム」（ＯＳ）は、すべてのその表面によって定義され、主に、その表面の等式の係数、ガラスの屈折率、および互いに対する相対的な各表面の位置（オフセット、回転およびチルト）によって定義される。これらの要素は、光学システム（ＯＳ）の光学システムパラメータ（ＯＳＰ）に対して参照される。光学システムの表面は、通常、Ｂ−スプライン関数またはゼルニケ多項式に基づくモデルを用いることによって得られる多項式または助変数方程式に沿って表される。これらのモデルは、レンズ全体についての連続的な曲率を与える。表面は、フレネル表面または画素化表面であってもよい。表面は、いくつかの表面の関数であってよい（例えば、関数は、重みを付けた和であってよい）。材料の屈折率は、不均一であってよく、光学システム（ＯＳ）のいくつかのパラメータに依存してよい。
−「光学判定基準」は、着用者のおよび／または着用者の観察者の視覚性能に影響を与える判定基準と定義される。光学判定基準は、３つのグループに分類される：
中央視覚の度数、中央視覚の非点収差、中央視覚の高次の収差、中央視覚の鋭敏さ、中央視覚のコントラスト、中央視覚のプリズム偏差、目の偏差、中央視覚の対象視野、中央視覚の画像視野、中央視覚の倍率、または、これらの判定基準の変形物を含む中央視覚光学判定基準（ＣＶＯＣ）グループ、
周辺視覚の度数、周辺視覚の非点収差、周辺視覚の高次の収差、瞳領域光線偏差、周辺視覚の対象視野、周辺視覚の画像視野、周辺視覚のプリズム偏差、周辺視覚の倍率、または、これらの判定基準の変形物を含む周辺視覚光学判定基準（ＰＶＯＣ）グループ、
目の倍率、こめかみの移動を含む全体的光学光学判定基準（ＧＯＣ）グループ。
【００２２】
本発明によれば、「局所的判定基準」は、その判定基準が、少なくとも注視方向または周辺光線方向で定義された評価領域について評価されることを意味する。特に、上記中央視覚光学判定基準（ＣＶＯＣ）と周辺視覚光学判定基準（ＰＶＯＣ）とが局所的判定基準である。
【００２３】
本発明によれば、「全体的判定基準」は、その全体的判定基準が、全体として光学システム（ＯＳ）を考慮して評価されることを意味する。
【００２４】
本発明の範囲において、他の上述の用語は、以下の定義に沿って理解される：
−「中央視覚」（「中心視覚」とも称する）は、中心くぼみ、豊富に収集された錐体を含んでいる網膜の中心における小さい領域、の働きを記述する。中央視覚状況において、観察者は、注視方向にとどまっている対象を見、そして、観察者の中心くぼみは、対象を追って移動する。中央視覚は、人に、読む、運転する、および、細かく鋭い視覚を要する他の活動を可能にする。
−「注視方向」は、目の回転中心に中心を持つ基準軸に関して測定される２つの角度によって定義される。
−「エルゴラマ」は、注視方向の対象の点の通常の距離を連結する関数である。
−「周辺視覚」は、対象を見る能力と、直接の視線の外方移動とを記載する。周辺視覚状況では、観察者は、固定された注視方向を見て、対象が、この直接の視線からはずれて見える。対象から目へ入る光線の方向は、注視方向とは異なり、周辺光線方向である。周辺視覚は、主に、棒、網膜の中心くぼみの外側に位置する受光細胞の働きである。
−「周辺光線方向」は、目の入射瞳に中心を持つ基準軸に関して測定される２つの角度によって定義され、注視方向の軸に沿って移動する。
−「経度線」は、経度面に位置する対象を異なる距離でまっすぐ前方に見たときに、レンズの前側（対象側）表面と、着用者の平均の視線との交差によって構成される。この場合、経度は、着用者の平均の目の回転の状態点、フレームの位置、フレームが垂直な近い視覚距離との間になす角度の定義などから得られる。これらの種々のパラメータは、経度が、レンズの表面に引かれることを許可する。仏特許出願２，７５３，８０５号は、このタイプの方法の例であり、ここでは、プリズム効果同様、読み取り面の近さを考慮に入れて、経度が、光線追跡によって得られる。
−「中央視覚の度数」は、着用者へ指示された度数を考慮に入れることを意味する。各注視方向の度数のエラーを最小化するために、光学関数に関連する光学システムのパラメータが計算される。
−「中央視覚における非点収差」は、着用者に指示される非点収差と、中間的な光学システムによって生成される非点収差との間の差異を最小化するために、光学関数に関連する光学システムのパラメータが計算されることを意味し、これらの非点収差は両方とも、目の回転中心（ＣＲＥ）に関連する基準軸における振幅とその軸とに関し、また、各注視方向に対しており、この差異は、残留非点収差と称される。
−「中央視覚における高次の収差」は、共通に残留度数と残留非点収差に加えて、中央視覚において着用者により観察される対象の画像の不鮮明さを修正する収差を記述する。例えば球面収差やコマ収差である。収差が参照される次数は、一般に、ゼルニケ多項式表示により表される。
【００２５】
光学システムの高次の収差は、以下のパラメータによって特徴付けられる：「高次の収差ＲＭＳ（２乗平均平方根）値」、「Ｓｔｒｅｈｌ比」、「瞳比」、「変調伝達関数ボリューム」。
【００２６】
「高次の収差２乗平均平方根」は通常ＨＯＡ  ＲＭＳと記載され、その単位は通常マイクロメートル（μｍ）である。
【００２７】
収差がなければ、強度は、ガウス画像ポイントで最大になる。「Ｓｔｒｅｈｌ比」は、収差を特徴付けるのに用いられる：これは、高次の収差がある場合のガウス画像ポイント（基準球の原点は、観察面での最大強度の点である）での強度の、収差がない場合に得られるであろう強度によって割った比である。
【００２８】
ＭＴＦは、各空間周波数に対する光学システムにより対象から得られる画像における変調の振幅（または正弦波周期的構造のコントラスト）を表す（例えば、Handbook of lens design, Malacara D. & Malacara Z. pages 295 to 303, 1994 Marcel Dekker Inc.を参照されたい）。典型的には０と無限大との間の空間周波数範囲にわたってこの関数を積分することによって、ＭＴＦのボリュームを計算することができる。他の多くの典型的なパラメータは、「"Accuracy and precision of objective refraction from wavefront aberrations", Larry N. Thibos, Xin Hong, Arthur Bradley, Raymond A. Applegate, Journal of Vision (2004) 4, see pages 329 to 351"」に記載されている。
【００２９】
高次の収差レベルが低くなるほど、ＨＯＡ  ＲＭＳ値が低くなるが、Ｓｔｒｅｈｌ比（最大値：１）が高くなり、ＭＴＦボリュームが高くなる。
−「中央視覚の視覚の鋭さ」は、視覚の鋭さまたは鮮明さである。これは、シンボルサイズが変動するときに、標準化された距離において白バックに黒いシンボルを確認する能力の量的測定である。視覚の鋭さは、確実に認識できる最も小さいサイズを表し、視覚関数の最も一般的な臨床的な測定である。視覚の鋭さは、FAUQUIER C., BONNIN T., MIEGE C., ROLAND E. : Influence of Combined Power Error and Astigmatism on Visual Acuity, Vision Science and its applications (VSIA), Santa Fe NM (USA), 2-7 fev. 1995に記載されているように、度数エラーまたは非点収差のような、中央視覚判定基準を考慮に入れたモデルから評価されることができる。
−「中央視覚でのコントラスト（感度）」は、輝度コントラストを検知する視覚能力であり、いわば、静止画の異なるレベルの輝度の間を識別する能力である。目のコントラスト感度の測定は、標準的な視覚の鋭さの測定よりも完全な視覚へのアセスメントである。これは、変動する空間周波数（通常は正弦波格子）のおよび変動するコントラストの対象の検知の評価を提供する。また、コントラスト感度関数（ＣＳＦ）を得る。コントラスト感度はまた、Peter G.J, Barten. "Contrast Sensitivity of the HUMAN EYE and Its Effects on Image Quality". Knegsel, 1999に記載のようなモデルに沿って評価されることもできる。
−「周辺視覚の度数」は、周辺視覚に配置される対象によって光学システムによって生成される度数として定義される。
−「周辺視覚の非点収差」は、周辺視覚に配置される対象によって振幅と軸との両方に関して光学システムによって生成される非点収差として定義される。
−「眼球偏差」は、中央視覚において定義され、同じ対象にピントをとどまらせるためにレンズを追加すると、目に回転を生じさせることを記述する。その角度はプリズムのジオプトリーまたは度で測定することができる。
−「中央視覚における対象視野」は、少なくとも２つの注視方向によって決定されるレンズの角度位置を走査することで目が観察できる空間の位置による対象空間において定義される。例えば、これらの注視方向は、メガネのフレームの形状によって定義されることができ、また、良好で十分なシャープネスを有する対象空間の視覚化を妨げる収差レベルによって定義されることができる。
−「中央視覚における画像視野」は、対象空間の視野を視覚化するために目により走査される角度位置として、画像空間（目の空間）の中央視覚の決定されて固定された視野に対して定義される。
−「周辺視覚における高次の収差」は、共通に残留周辺度数と残留周辺非点収差に加えて、周辺視覚において着用者により観察される対象の画像の不鮮明さを修正する収差を記述する。例えば周辺視覚球面収差や周辺視覚コマ収差である。収差が参照される次数は、一般に、ゼルニケ多項式表示により表される。
−「瞳領域光線偏差」は、周辺視野に配置された対象から来る光線が、目の入射瞳へのその経路上にレンズを追加することによって修正されることを記載する。
−「周辺視覚対象視野」は、対象vにおいて定義される。目の入射瞳の中心からの少なくとも２本の光線により定義された周辺視覚対象（目は固定方向を見ている）で目が観察できるのは空間の一部である。例えば、これらの光線は、メガネのフレームの形状によって定義されることができ、また、良好で十分なシャープネスを有する対象空間の視覚化を妨げる収差レベルによって定義されることができる。
−「周辺視覚画像視野」は、目の周辺視覚により見られる画像空間における対応する角度位置として、決定されて固定される周辺視覚対象視野のために定義される。
−「中央視覚のプリズム偏差」は、レンズのプリズムの量によって導入された目の回転中心から発した光線の角度偏差によって、対象空間で定義される。
−「周辺視覚のプリズム偏差」は、レンズのプリズムの量によって導入された入射瞳の中心から発した光線の角度偏差である。
−「中央視覚／周辺視覚の倍率」は、レンズなしで、中央視覚／周辺視覚で見られる対象のみかけの角度サイズ（または立体角）と、レンズを通した、中央視覚／周辺視覚で見られる対象のみかけの角度サイズ（または立体角）との間の比として定義される。
−「目の倍率」は、観察者により判断される着用者の目の倍率として定義される。
−「こめかみの移動」は、観察者により判断される着用者のオフセットとして定義される。
−「評価区域」は、評価される局所的判定基準に関連する。これは、一つまたはいくつかの評価領域から構成される。評価領域は、中央視覚光学判定基準（ＣＶＣＣ）グループまたは幾何学的局所的判定基準グループに属する判定基準に対する一つまたはいくつかの注視方向、および、周辺視覚光学判定基準グループ（ＰＶＯＣ）に属する判定基準に対する一つまたはいくつかの周辺光線方向から構成される。
−「目標値」は、判定基準によって到達する値である。選択された判定基準が局所的判定基準のとき、目標値は、評価領域に関連する。選択された判定基準が全体的判定基準のとき、目標値は、全体的な光学システム（ＯＳ）に関連する。
−「停止判定基準」は、最適化アルゴリズムを停止する反復を見つけるのに用いられる。システムは「平衡」に達したといわれる。
−「コスト関数」は、全体的コスト関数（ＧＣＦ）の計算に用いられる実際の関数である。
−「全体的コスト関数（ＧＣＦ）」は、少なくとも一つのコスト関数という関数として定義され、中間的な光学システム（ＩＯＳ）の性能のレベルを提供する。
−「分野」は、種々のパラメータの同じベクトルが定義されている判定基準のセットである。
−「平衡」は、考慮されたシステムが、特定の方法においてこれ以上最適化できない状態である。平衡の例は、Ｎａｓｈ平衡およびＳｔａｃｋｅｌｂｅｒｇ平衡である。
−特定の注視方向（α１，β１）においてその注視方向の成分に従って評価関数の結果評価された中央視覚判定基準の変動は、その判定基準の評価関数のその成分に関する導関数として理解される。評価関数Ｈｋを考慮して、Ｈｋのαに関する偏導関数を、
【００３０】
【数２】
0005918137.tif 000003
【００３１】
のように考慮することができる。Ｈｋのβに関する偏導関数を、
【００３２】
【数３】
0005918137.tif 000004
【００３３】
のように考慮することができる。判定基準の変動は、評価関数の偏導関数のαに関する成分および評価関数の偏導関数のβに関する成分として、例えば、
【００３４】
【数４】
0005918137.tif 000005
【００３５】
として、評価される。
−特定の光線方向（α’１，β’１）においてその光線方向の成分に従って評価関数の結果評価された周辺視覚判定基準の変動は、その判定基準の評価関数のその成分に関する導関数として理解される。評価関数Ｈｋを考慮して、Ｈｋのα’に関する偏導関数を、
【００３６】
【数５】
0005918137.tif 000006
【００３７】
のように考慮することができる。Ｈｋのβ’に関する偏導関数を、
【００３８】
【数６】
0005918137.tif 000007
【００３９】
のように考慮することができる。判定基準の変動は、評価関数の偏導関数のα’に関する成分および評価関数の偏導関数のβ’に関する成分として、例えば、
【００４０】
【数７】
0005918137.tif 000008
【００４１】
として、評価される。
【００４２】
本発明の、非限定の実施形態は、以下の図面を参照してここに記載される。
【００４３】
図１は、本発明に係る方法のステップのフローチャートを表す。
【００４４】
図２は、レンズプラス目システムの概略図を示す。
【００４５】
図３は、目の回転中心からの光線の追跡を示す。
【００４６】
図４は、目の入射瞳からの光線の追跡を示す。
【００４７】
図５は、周辺視覚のプリズム偏差を示す。
【００４８】
図６は、眼球偏差を示す。
【００４９】
図７は、瞳光線フィールド偏差を示す。
【００５０】
図８は、中央視覚の対象視野を示す。
【００５１】
図９は、水平な対象視野を示す。
【００５２】
図１０は、中央視覚の水平なプリズム偏差を示す。
【００５３】
図１１は、トータルの対象視野を示す。
【００５４】
図１２は、中央視覚の画像視野を示す。
【００５５】
図１３は、周辺視覚の対象視野を示す。
【００５６】
図１４は、周辺視覚の画像視野を示す。
【００５７】
図１５は、目の倍率を示す。
【００５８】
図１６ａおよび図１６ｂは、こめかみの移動を示す。
【００５９】
図１７ａ、図１７ｂおよび図１７ｃはそれぞれ、実施例１で用いられる光学基準表面の、経度線に沿った球プロフィールと、球等高線プロットと、円筒等高線プロットとを表す。
【００６０】
図１８ａ、図１８ｂおよび図１８ｃはそれぞれ、従来技術の方法を用いて得られた、実施例１に沿った累進多焦点レンズの、経度線に沿った度数プロフィールと、度数等高線プロットと、非点収差等高線プロットとを表す。
【００６１】
図１９ａ、図１９ｂおよび図１９ｃはそれぞれ、本発明の方法を用いて得られた、実施例１に沿った累進多焦点レンズの、経度線に沿った度数プロフィールと、度数等高線プロットと、非点収差等高線プロットとを表す。
【００６２】
図２０ａ、図２０ｂおよび図２０ｃはそれぞれ、実施例２で用いられる光学基準表面の、経度線に沿った球プロフィールと、球等高線プロットと、円筒等高線プロットとを表す。
【００６３】
図２１ａ、図２１ｂおよび図２１ｃはそれぞれ、従来技術の方法を用いて得られた、実施例２に沿った累進多焦点レンズの、経度線に沿った度数プロフィールと、度数等高線プロットと、非点収差等高線プロットとを表す。
【００６４】
図２２ａ、図２２ｂおよび図２２ｃはそれぞれ、本発明の方法を用いて得られた、実施例２に沿った累進多焦点レンズの、経度線に沿った度数プロフィールと、度数等高線プロットと、非点収差等高線プロットとを表す。
【００６５】
図２３ａおよび図２３ｂはそれぞれ、実施例３で用いられる光学基準表面の、球等高線プロットと、円筒等高線プロットとを表す。
【００６６】
図２４ａおよび図２４ｂはそれぞれ、従来技術の方法を用いて得られた、実施例３に沿った累進多焦点レンズの、度数等高線プロットと、非点収差等高線プロットとを表す。
【００６７】
図２５ａおよび図２５ｂはそれぞれ、本発明の方法を用いて得られた、実施例３に沿った累進多焦点レンズの、度数等高線プロットと、非点収差等高線プロットとを表す。
【００６８】
図２６ａおよび図２６ｂはそれぞれ、実施例４で用いられる光学基準表面の、球等高線プロットと、円筒等高線プロットとを表す。
【００６９】
図２７は、従来技術の方法を用いて得られた、実施例４に沿った眼科用レンズの多焦点付加表面の高次の収差ＲＭＳプロットを表す。
【００７０】
図２８は、本発明の方法を用いて得られた、実施例４に沿った眼科用レンズの多焦点付加表面の高次の収差ＲＭＳプロットを表す。
【００７１】
当業者は、図面の要素は簡素化および明瞭化のために記載されており、一定の比例に拡大して描かれる必要はないことを理解するであろう。例えば、図面の要素のいくつかの寸法は、本発明の実施形態の理解を向上させるために他の要素と比べて誇張されることがある。
【００７２】
図１７、図２０、図２３および図２６は、考慮された光学表面の幾何学的特徴を与える。図１７ａ、図２０ａの水平軸は、遠方視覚制御点での主要な球値に関して経度線に沿って主要な球の変動を示す。ｘ軸はジオプトリー目盛りであり、ｙ軸値の単位はｍｍである。連続的な曲線は、主要な球値に対応する。破線の曲線は、最大および最小の球値に対応する。
【００７３】
図１７ｂ、図２０ｂ，図２３ａ，図２６ａは、主要な球の等高線プロットである。地図の垂直座標および水平座標の単位はｍｍである。これらの地図に示される曲線は、同じ主要な球値に対応する位置を結ぶ。曲線の各主要な球値は隣接曲線との間で０．２５ジオプトリーずつ増加し、これらの曲線のいくつかのものの上に示される。
【００７４】
図１７ｃ、図２０ｃ、図２３ｂ、図２６ｂは、主要な球の等高線プロットのものと同様の座標を持った円筒等高線プロットである。示されるこれらの曲線は、同じ円筒値に対応する位置を結ぶ。
【００７５】
図１８、図１９、図２１、図２２、図２４および図２５は、考慮されたレンズの光学分析を与える。図１８ａ、図１９ａ、図２１ａおよび図２２ａの図面の水平軸は、遠方視覚制御点に対応する注視方向に対して生成された光学度数値に関して経度線に沿って光学度数の変動を示す。垂直軸は目の下降角度αの値を示し、目の方向が下向きのときに正の値をとる。基準の目の方向は、ふさわしい交差ポイントとして定義される。連続的な曲線は、主要な光学度数に対応し、これは、目の方向を含む平面とこの方向の周りに回転した平面とに対する平均値として計算される。破線の曲線は、これらの平面で生成した最大および最小の光学度数値に対応する。
【００７６】
図１８ｂ、図１９ｂ、図２１ｂ、図２２ｂ、図２４ａおよび図２５ａは、光学度数地図である。地図の垂直座標および水平座標は、目の下降角度αの値および目のアジマス角度βの値である。これらの地図に示される曲線は、同じ光学度数値に対応する目の方向を結ぶ。曲線の各光学度数値は隣接曲線との間で０．２５ジオプトリーずつ増加し、これらの曲線のいくつかのものの上に示される。
【００７７】
図１８ｃ、図１９ｃ、図２１ｃ、図２２ｃ、図２４ｂおよび図２５ｂは、残留非点収差等高線プロットであり、光学度数地図のものと同様の座標を有する。示された曲線は、同じ非点収差値に対応する目の方向を結ぶ。
【００７８】
図１に示された本発明の実施形態によれば、メガネのレンズの光学性能を決定する方法は、
指示データ提供ステップＳ１と、
光学基準表面データ提供ステップＳ２と、
仮想着用者眼科用レンズエルゴラマシステム決定ステップＳ３と、
判定基準選択ステップＳ４と、
目標値定義ステップＳ５と、
評価ステップＳ６と、
修正ステップＳ７と、を含んでいる。
【００７９】
指示データ提供ステップＳ１において、着用者の指示を表す指示データＰＤが提供される。
【００８０】
光学基準表面データ提供ステップＳ２において、着用者の指示に適合する光学基準表面を表す表面データＳＤが提供される。
【００８１】
仮想着用者眼科用レンズエルゴラマシステム決定ステップＳ３において、少なくとも指示データおよび表面データを用いて仮想着用者眼科用レンズエルゴラマシステムＷＬＥＳが決定される。
【００８２】
本発明の実施形態によれば、決定される仮想着用者眼科用レンズエルゴラマシステムＷＬＥＳは、着用者の指示の変形から発する指示データを用いて決定してもよい。このような変形の例は米国特許６，３８２，７８９号に記載されている。
【００８３】
本発明の実施形態によれば、仮想着用者眼科用レンズエルゴラマシステム決定ステップＳ３は、
目の特徴を提供するステップＳ３１と、
メガネのレンズを提供するステップＳ３２と、
エルゴラマを提供するステップＳ３３と、を含んでいる。
【００８４】
目の特徴を提供するステップＳ３１において、着用者の右目および／または左目の特徴を表す目の特徴データが提供される。
【００８５】
目の特徴データは、測定値、例えば、単眼の瞳孔間距離または瞳高さ、または、着用者の左目と右目の相対位置または右目および／または左目の目の回転中心（ＣＲＥ）位置を含んでよい。有利には、測定値を有することによって、全体的な方法の正確さが増加する。
【００８６】
目の特徴データは、着用者の左目と右目の相対位置の公知の平均値に基づいた平均値を含んでよい。
【００８７】
メガネのレンズを提供するステップＳ３２において、メガネのレンズを表すメガネのレンズデータが提供される。
【００８８】
本発明の実施形態によれば、メガネのレンズデータは、メガネのレンズの取付けデータを含む。
【００８９】
本発明の実施形態によれば、取付けデータは、平均の取付けデータであってよい。
【００９０】
本発明の実施形態によれば、メガネのレンズデータは、右のメガネのレンズおよび左のメガネのレンズに対し、メガネのレンズの最高点距離および／または広角角度および／または全巻き角を含む。
【００９１】
エルゴラマを提供するステップＳ３３において、エルゴラマデータが提供される。エルゴラマデータは、注視方向の関数として、対象点の距離を与える視覚環境を表す。
【００９２】
判定基準選択ステップＳ４において、仮想着用者眼科用レンズエルゴラマシステムに関連する光学関数の少なくとも一つの光学判定基準ＯＣが選択される。
【００９３】
光学判定基準は、以下のものからなる中央視覚判定基準グループにて選択されてよい：中央視覚の度数、中央視覚の非点収差、中央視覚の高次の収差、中央視覚の鋭敏さ、中央視覚のコントラスト、中央視覚のプリズム偏差、目の偏差、中央視覚の対象視野、中央視覚の画像視野、中央視覚の倍率、および、これらの判定基準の変形物。
【００９４】
本発明の実施形態によれば、中央視覚判定基準グループは、中央視覚の度数、中央視覚の非点収差、中央視覚の高次の収差からなる。
【００９５】
本発明の実施形態によれば、光学判定基準は、以下のものからなる周辺視覚判定基準グループにて選択されてよい：周辺視覚の度数、周辺視覚の非点収差、周辺視覚の高次の収差、瞳領域光線偏差、周辺視覚の対象視野、周辺視覚の画像視野、周辺視覚のプリズム偏差、周辺視覚の倍率、および、これらの判定基準の変形物。
【００９６】
本発明の実施形態によれば、光学判定基準は、目の倍率およびこめかみの移動からなる全体的光学判定基準グループにて選択されてよい。
【００９７】
目標値定義ステップＳ５において、選択された少なくとも一つの判定基準に対し、少なくとも一つの目標値が定義または提供される。
【００９８】
評価ステップＳ６において、仮想着用者眼科用レンズエルゴラマシステムに関連する光学関数の、選択された少なくとも一つの光学判定基準の評価値が評価される。
【００９９】
本発明の実施形態によれば、各選択された判定基準に対する目標値定義ステップＳ５において、
その判定基準が中央視覚判定基準グループまたは周辺視覚判定基準グループに属する場合は、一つまたはいくつかの評価領域およびその評価領域に関連する目標値のセットを含む評価区域が定義され、または、
その判定基準が全体的光学判定基準グループに属する場合は、その判定基準に関連する目標値が定義される。
【０１００】
さらに、評価ステップにおいて、選択された判定基準が中央視覚判定基準グループまたは周辺視覚判定基準グループに属する場合は、その評価領域に関連する判定基準値のセットが評価される。
【０１０１】
修正ステップＳ７において、目標値と評価判定基準との差異を最小化するために、眼科用レンズの基本曲線と異なる仮想着用者眼科用レンズエルゴラマシステムの少なくとも一つのパラメータが修正される。
【０１０２】
本発明の実施形態によれば、仮想着用者眼科用レンズエルゴラマシステムの少なくとも一つのパラメータが、瞳径、瞳位置、目の回転中心位置、目の異なるジオプトリーの位置、例えば網膜、目の異なるジオプトリーの湾曲、例えば網膜、目の異なる環境のインデックスからなる目パラメータグループから選択される。
【０１０３】
本発明の実施形態によれば、仮想着用者眼科用レンズエルゴラマシステムの少なくとも一つのパラメータが、眼科用レンズの所定ポイントでの緊張、眼科用レンズのプリズム、基板のインデックスからなる眼科用レンズパラメータグループから選択される。
【０１０４】
本発明の実施形態によれば、仮想着用者眼科用レンズエルゴラマシステムの少なくとも一つのパラメータが、頂点距離、広角角度、全巻き角からなる着用パラメータグループから選択される。
【０１０５】
本発明の実施形態によれば、仮想着用者眼科用レンズエルゴラマシステムの少なくとも一つのパラメータが、各目の注視方向の関数としての距離の再区分からなる対象空間パラメータグループから選択される。
【０１０６】
ここでは、視覚（中央視覚または周辺視覚）状況に従った判定基準評価ステップに注目する。判定基準を計算するために、光線追跡法を用いることができる。光線追跡は、仮想着用者眼科用レンズエルゴラマシステムに従った特別な特徴を有する。
【０１０７】
図２は、着用者眼科用レンズエルゴラマシステムの一部となりうるレンズプラス目システムの概略図を示す。図２を参照して、目の位置は、目の回転中心ＣＲＥと入射瞳中心点Ｐとによって定義できる。ＰＳは瞳サイズである（一定の比例に拡大して図示してはいない）。ＣＲＥとレンズ２０との間の距離ｑ’は、限定されないが、一般に、２５．５ｍｍに設定され、ｐ’は、ＣＲＥに関して目の入射瞳の位置を定義している。
【０１０８】
図３は、光線追跡によって中央視覚状況において判定基準を判断することを目的とした中央視覚のモデルを示す。中央視覚状況において、目は、その回転中心の周りに、および、入射瞳の周りに、回転する。注視方向は、ＣＲＥを中心として基準軸Ｒ＝（Ｘ、Ｙ、Ｚ）に関して測定された２つの角度（α、β）によって定義される。注視方向（α、β）の中央視覚判定基準を判断するために、注視光線１が、注視方向（α、β）に、ＣＲＥから形成されている。１１は、レンズ２０を通った後の入射光である。
【０１０９】
図４は、光線追跡によって周辺視覚状況において判定基準を判断することを目的とした周辺視覚のモデルを示す。周辺視覚状況において、注視方向（α、β）（ここでは図示せず）は固定され、対象は、注視方向とは異なる周辺光線方向で見られる。周辺光線方向は、目の入射瞳を中心として基準軸Ｒ’＝（Ｘ’、Ｙ’、Ｚ’）に関して測定された２つの角度（α’、β’）によって定義され、固定方向（α、β）にて与えられて図４の軸Ｘ’で表される注視方向軸に沿って移動する。周辺光線方向（α’、β’）の周辺視覚判定基準を判断するために、周辺光線２が、周辺光線方向（α’、β’）に、瞳Ｐの中心から形成されている。２２は、レンズ２０を通った後の入射光である。
【０１１０】
（中央視覚の）注視光線１または（周辺視覚の）周辺光線２に従い、光線追跡ソフトウエアが、入射光を、図３および図４の基準１１および２２の下で、二者択一的に計算する。そして、対象空間の光線上に対象点が選ばれ、この点から、細い光線が形成され、最終的な画像を計算する。光線追跡により、選択された判定基準を計算することができる。
【０１１１】
図５ないし図１３は、本発明に係る判定基準の判定基準評価方法を示す。
【０１１２】
図５は、周辺視覚におけるプリズム偏差ＰＤを評価する光線追跡を示す。周辺視覚におけるプリズム偏差は、入射瞳中心を中心として基準軸に関して与えられる周辺光線方向（α’、β’）に関連する周辺光線の光線追跡を通して評価され、上述したように、注視方向に沿って移動する。周辺光線方向（α’、β’）に注視方向軸Ｘ’にて入射瞳中心から発した光線２が追跡される。そして、光線２に対応する入射光２２が形成される。プリズム偏差は、入射光２２と、光線２の方向の瞳中心から発してレンズ２０のプリズムによって逸脱しない仮想光線３との間の角度を表す。
【０１１３】
図６は、眼球偏差ＯＣＤを示す。これは、ＣＲＥへの経路にレンズがないときに、対象１０から来る第１の光線３３と、レンズ２０の追加によって経路が修正された同じ対象から来る第２の光線１２０とを示す。光線１２は、レンズ２０を通った後の画像空間の光線１２０に対応する。方向（α、β）の眼球偏差ＯＣＤは、中央視覚において評価され、以下のものの間の角度として定義される：
−レンズなしで対象を目標とする目の方向（光線３３で表す）、および、
−レンズが観察者の目の前に置かれたときに同じ対象を目標とする目の方向（光線１２で表す）。
【０１１４】
図７は、瞳光線フィールド偏差（ＰＲＦＤ）を示し、目の入射瞳への経路にレンズが配置されていないときの周辺視野に配置された対象１０から来る第１の光線３４と、レンズ２０の導入により経路が修正された同じ対象から来る第２の入射光２３０とを示す。光線２３は、画像領域において、入射光２３０に対応する。瞳光線フィールド偏差（ＰＲＦＤ）は、周辺視覚において評価され、画像空間において、以下のものの間で測定された角度として定義される：
−目の周辺視野に局在する対象から来て瞳中心に入る直線光３４、および、
−レンズが着用者の目の位置に置かれたときに同じ対象から来て瞳中心に入る光２３。
【０１１５】
図８は、平面における、ＣＲＥから発した任意に選択された光線４および５に対する、中央視覚の対象視野を示す。対象視野は、目が対象空間における光線４と光線５によって決定されるレンズの角度位置を走査して観察できる空間の位置を表す。ハッチ部６０は、中央視覚における対象視野を表す。
【０１１６】
図９は、ＣＲＥから発した２つの光線４１および５１に対する中央視覚の視野ＶＦの例を示す。レンズ２０は、等価非点収差線２０１−２０６を有する表面として表される。光線４１および５１は、方向αで与えられる所定の水平軸と、２つの所定の等価非点収差線２０１および２０４との間の交点として定義される。これらの交点により、方向（α、β１）に沿った光線４１と、方向（α、β２）に沿った光線５１とを追跡することができる。中央視覚における対象視野ＶＦは、プリズム偏差の関数であり、以下のように２つの光線に対して数学的に表現される：
【０１１７】
【数８】
0005918137.tif 000009
【０１１８】
Ｄｐ＿Ｈ（α、β１）は、注視方向（α、β１）における水平なプリズム偏差を示す。水平なプリズム偏差は、図８の水平面基準Ｐにおけるプリズム偏差の成分である。
【０１１９】
Ｄｐ＿Ｈ（α、β２）は、注視方向（α、β２）における水平なプリズム偏差を示す。
【０１２０】
図１０は、中央視覚の水平なプリズム偏差ＨＰＤを示す。プリズム偏差は、光線１３０と光線３５との間の角度差として定義される。光線１３０は、対象空間の光線１３の画像である。光線１３は、図１０に示すように、目の回転中心を中心として固定基準軸（Ｘ、Ｙ、Ｚ）における方向（α、β）に従って目の回転中心から発する。光線３５は、方向（α、β）に従って目の回転中心から発する仮想光線であり、レンズのプリズムによって逸脱しない。水平なプリズム偏差ＨＰＤは、平面（ＸＯＺ）におけるプリズム偏差の成分であり、以下のように計算されうる：
【０１２１】
【数９】
0005918137.tif 000010
【０１２２】
ここで、
【０１２３】
【数１０】
0005918137.tif 000011
【０１２４】
であり、
ＶｉｎｉとＶｆｉｎとは、二者択一的に、光線１３と１３０の方向ベクトルである。
【０１２５】
図１１は、メガネのフレーム形状２１０を表す注視方向のセットによって定義される中央視覚の対象視野の他の実施形態を示す。レンズ２０は、等価非点収差線２０１−２０８を有する表面として表される。注視方向の各（αｉ、βｉ）に対し、以下のものを含む平面Ｐｉを定義する：
−注視方向（αｉ、βｉ）によって定義されるベクトル、
−注視方向（０、０）によって定義されるベクトル、および、
−目の回転中心。
（α、β）＝（０、０）により与えられる注視方向に対し、Ｐｉ上に投影されるプリズム偏差は、Ｄｐ＿ｉ（０、０）と計算される。
（αｉ、βｉ）により与えられる注視方向に対し、Ｐｉ上に投影されるプリズム偏差は、Ｄｐ＿ｉ（αｉ、βｉ）と計算される。
この視野は、全体対象視野と称され、以下のように数学的に表現される：
【０１２６】
【数１１】
0005918137.tif 000012
【０１２７】
ここで、
Ｄｐ＿ｉ（αｉ、βｉ）は、平面Ｐｉ上に投影される注視方向（αｉ、βｉ）におけるプリズム偏差を表す。
【０１２８】
図１２は、平面内であって、ＣＲＥから発した２つの任意の選択光線４および５に対する中央視覚の画像視野を示す。対象視野は、目が対象空間における光線４と光線５によって決定されるレンズの角度位置を走査して観察できる空間の位置を表す。ドット部７０は、ハッチ部６０に表される中央視覚の視野を考慮して、中央視覚における画像視野を表す。
【０１２９】
図１３は、平面内であって、目の入射瞳Ｐから発した２つの任意の選択光線６および７に対する周辺視覚の対象視野を示す。ハッチ部８０は、周辺視覚における対象視野を表す。
【０１３０】
図１４は、周辺視覚の画像視野を示す。周辺視覚８０の対象視野を定義するために光線６および７が用いられ、ドット部９０は、ハッチ部８０に表される周辺視覚の対象視野を考慮した、周辺視覚の画像視野を示す。
【０１３１】
図１５は、着用者の目の倍率を示す。ΩおよびΩ’はそれぞれ、レンズ２０があるときおよび無いときの、着用者の目を観察者が見る、立体角である。観察者は、目が２１として参照される着用者の距離ｄに位置し、観察者の入射瞳の中心はＯＰとして参照され、着用者の目２１とレンズ２０との間の最高点距離はｑ’として参照される。例えば、距離ｄは、例えば１メートルに等しい。
【０１３２】
図１６ａおよび図１６ｂは、こめかみの移動ＴＳを示す。こめかみの移動は、着用者が観察者によって見られるときにレンズ２０によって誘導されるプリズム偏差によるものである。ＯＰは、着用者の頭２５を見る観察者の瞳中心点である。着用者の目は２１として参照され、着用者の鼻は２７として参照され、着用者のこめかみは２６として参照される。着用者は、メガネのレンズを着用している。こめかみの移動は、レンズ無しで着用者のこめかみを観察者が見たときのこめかみ２６から始まる光線１００と、レンズを通して着用者のこめかみを観察者が見たときのこめかみ２６から始まる光線１０１との間の角度ＴＳとして定義される。例えば、着用者と観察者との間の距離は、１メートルに等しくすることができる。
【０１３３】
本発明をよりよく説明するために、コスト関数の、限定されない実施形態について述べる。
【０１３４】
選択された判定基準が中央視覚グループおよび周辺視覚グループに属し、コスト関数が、各選択された判定基準のコスト関数の選択された判定基準（Ｃ１、…、ＣＮ）のセットにわたって、和として定義可能な発明の実施形態について述べる。
【０１３５】
選択された判定基準Ｃｋ（ｋ∈［１、…、Ｎ１］、Ｎ１は１以上の整数）に対し、判定基準コスト関数を定義するために、判定基準値の表現をさらに発展させる。
【０１３６】
評価区域Ｄｋは、判定基準Ｃｋに関連している。評価区域は、１つまたはいくつかの評価領域Ｄｉｋ（ｉ∈［１、…、Ｍｋ］、Ｍｋは判定基準に関連付けられた評価領域の数を表す１以上の整数）を含み、評価領域は、もし判定基準が中央視覚判定基準グループに属する場合は少なくとも一つの注視方向（α、β）として定義され、もし判定基準が周辺視覚判定基準グループに属する場合は少なくとも一つの周辺光線方向（α’、β’）として定義される。
【０１３７】
判定基準Ｃｋと評価区域Ｄｋに対し、評価関数Ｈｋは、そのパラメータｖによって定義されるレンズに対する判定基準値Ｈｋ（Ｄｉｋ、ｖ）を、評価領域であるＤｋのＤｉｋに関連付ける。
【０１３８】
目標値もまた、評価領域に関連付けられる。目標値は、いくつかの方法によって光学設計者によって決定される：
−目標値が、判定基準および、評価領域の対応するセットに対してあらかじめ決められている、データベースを用いる、
−分析的な関数を用いる。
【０１３９】
判定基準値と対応する目標のセットとが与えられると、判定基準のコスト関数は、以下のように数学的に定義することができる：
【０１４０】
【数１２】
0005918137.tif 000013
【０１４１】
ここで、Ｔｉｋは、評価領域Ｄｉｋに関連付けられた目標値であり、ｗｉｋは、所定の重みである。
【０１４２】
視野に関係する判定基準は、少なくとも２つの方向（周辺または注視）から計算されることに注目できる。これらの判定基準に対し、評価領域Ｄｉｋは、いくつかの方向から構成される（周辺視覚の視野に対する周辺光線方向または中央視覚の視野に対する注視方向）。
【０１４３】
そして、コスト関数は、以下のように数学的に表現される：
【０１４４】
【数１３】
0005918137.tif 000014
【０１４５】
ある実施形態では、以前に選択された判定基準（Ｃ１、…、ＣＮ１）は、さらに、全体的光学判定基準グループに属する（Ｃ’１、…、Ｃ’Ｎ２）判定基準を含む。
【０１４６】
（Ｃ’１、…、Ｃ’Ｎ２）に属する判定基準Ｃ’ｋ（ｋ∈［１、…、Ｎ２］、Ｎ２は１以上の整数）に対し、Ｈ’ｋは、パラメータｖの光学システムに、単一の判定基準値を関連付ける。そのため、全体的光学判定基準グループに属する判定基準の判定基準コスト関数の数学的表現は以下の通りである：
【０１４７】
【数１４】
0005918137.tif 000015
【０１４８】
ここで、Ｔ’ｋは、Ｃ’ｋに関連付けられた目標値であり、ｗ’ｋは所定の重みである。
【０１４９】
そのため、選択されたすべての判定基準に関係するコスト関数は、以下のように表現される：
【０１５０】
【数１５】
0005918137.tif 000016
【０１５１】
以下の実施例を用いることで本発明をさらに説明する。
【０１５２】
〔実施例１〕
実施例１は、多焦点眼科用レンズの場合における本発明の方法の応用に対応する。
【０１５３】
図１７ａ、図１７ｂおよび図１７ｃはそれぞれ、実施例１で用いられる、基本３Ｄ、追加２．５Ｄを有する光学基準表面の、経度線に沿った球プロフィールと、球等高線プロットと、円筒等高線プロットとを表す。
【０１５４】
着用者の指示は、遠くの視覚での度数−４Ｄおよび追加２．５Ｄである。
【０１５５】
光学関数の選択された判定基準は、判定基準における非点収差および判定基準における度数である。
【０１５６】
判定基準における非点収差については、目標値は、遠くの視点と近くの視点との間の経度線に沿って０Ｄに設定される。
【０１５７】
判定基準における度数については、目標値は、ふさわしい交差ポイントの２０°上であって、遠くの視点と近くの視点との間の度数の差異２．８８Ｄに対応する注視方向に沿って、−４Ｄに設定される。
【０１５８】
修正されうる仮想着用者眼科用レンズエルゴラマシステムのパラメータは、仮想多焦点眼科用レンズの表面の追加、仮想多焦点眼科用レンズのプリズム、広角角度、および注視方向の関数としての距離の再区分である。
【０１５９】
仮想着用者眼科用レンズエルゴラマシステムの他のパラメータは、標準値に設定される。すなわち、目の回転中心と仮想レンズとの間の距離：２５．５ｍｍ、仮想眼科用レンズの基本曲線：３．６Ｄ、仮想レンズ側の緊張制約：０．３ｍｍ、および、仮想レンズの中心の緊張制約：１．９ｍｍである。
【０１６０】
本発明の方法によって決定された仮想着用者眼科用レンズエルゴラマシステムは、仮想多焦点眼科用レンズの表面の追加：２．７５Ｄ、仮想多焦点眼科用レンズのプリズム：０プリズムジオプトリー、広角角度：７．８°、および、すべての注視方向に対する無限大の対象距離を有する。
【０１６１】
図１８ａ、図１８ｂおよび図１８ｃはそれぞれ、従来技術の方法を用いて得られた累進多焦点レンズの、経度線に沿った度数プロフィールと、度数等高線プロットと、非点収差等高線プロットとを表す。
【０１６２】
図１９ａ、図１９ｂおよび図１９ｃはそれぞれ、本発明の方法を用いて得られた累進多焦点レンズの、経度線に沿った度数プロフィールと、度数等高線プロットと、非点収差等高線プロットとを表す。
【０１６３】
図１８と図１９とを比較すると、本発明に係る方法を用いることによって、遠くの視点と近くの視点との間の経度に沿った非点収差が減少していることがわかる。例えば、近くの視点では、非点収差は、従来技術の方法を用いて得られた眼科用レンズの０．３９Ｄから、本発明に係る方法を用いて得られた眼科用レンズの０．０８Ｄへと減少している。
【０１６４】
〔実施例２〕
実施例２は、多焦点眼科用レンズの場合における本発明の方法の応用に対応する。
【０１６５】
図２０ａ、図２０ｂおよび図２０ｃはそれぞれ、実施例２で用いられる、基本８Ｄ、追加２Ｄを有する光学基準表面の、経度線に沿った球プロフィールと、球等高線プロットと、円筒等高線プロットとを表す。
【０１６６】
着用者の指示は、遠くの視覚での度数６Ｄおよび追加２Ｄである。
【０１６７】
光学関数の選択された判定基準は、判定基準における非点収差および判定基準における度数である。
【０１６８】
判定基準における非点収差については、目標値は、遠くの視点と近くの視点との間のふさわしい交差ポイントで０Ｄに設定される。
【０１６９】
判定基準における度数については、目標値は、ふさわしい交差ポイントの２０°上であって、遠くの視点と近くの視点との間の度数の差異１．９３Ｄに対応する注視方向に沿って、５．９Ｄに設定される。
【０１７０】
修正されうる仮想着用者眼科用レンズエルゴラマシステムのパラメータは、仮想多焦点眼科用レンズのプリズムおよび広角角度である。
【０１７１】
仮想着用者眼科用レンズエルゴラマシステムの他のパラメータは、標準値に設定される。すなわち、表面追加２Ｄ、目の回転中心と仮想レンズとの間の距離：２５．５ｍｍ、仮想眼科用レンズの基本曲線：１．５３Ｄ、仮想レンズ側の緊張制約：０．３ｍｍ、仮想レンズの中心の緊張制約：１．９ｍｍ、および、全巻き角０°である。
【０１７２】
本発明の方法によって決定された仮想着用者眼科用レンズエルゴラマシステムは、仮想多焦点眼科用レンズの表面の追加：２Ｄ、仮想多焦点眼科用レンズのプリズム：０プリズムジオプトリー、広角角度：７．８°を有する。
【０１７３】
図２１ａ、図２１ｂおよび図２１ｃはそれぞれ、従来技術の方法を用いて得られた累進多焦点レンズの、経度線に沿った度数プロフィールと、度数等高線プロットと、非点収差等高線プロットとを表す。
【０１７４】
図２２ａ、図２２ｂおよび図２２ｃはそれぞれ、本発明の方法を用いて得られた累進多焦点レンズの、経度線に沿った度数プロフィールと、度数等高線プロットと、非点収差等高線プロットとを表す。
【０１７５】
図２１と図２２とを比較すると、近くの視点での非点収差は、従来技術の方法を用いて得られた眼科用レンズの０．０８Ｄから、本発明に係る方法を用いて得られた眼科用レンズの０．０２Ｄへと減少していることがわかる。さらに、ふさわしい交差ポイントでの非点収差は、従来技術の方法を用いて得られた眼科用レンズの０．１０Ｄから、本発明に係る方法を用いて得られた眼科用レンズの０．０５Ｄへと減少している。
【０１７６】
〔実施例３〕
実施例３は、多焦点眼科用レンズの場合における本発明の方法の応用に対応する。
【０１７７】
図２３ａおよび図２３ｂはそれぞれ、実施例３で用いられる、基本５．５Ｄ、追加２．５Ｄを有する光学基準表面の、球等高線プロットと、円筒等高線プロットとを表す。
【０１７８】
着用者の指示は、遠くの視点での度数２．５Ｄおよび追加２．５Ｄである。
【０１７９】
光学関数の選択された判定基準は、判定基準における非点収差および判定基準における度数である。
【０１８０】
判定基準における非点収差については、目標値は、４０°の角度に対応する目の下降での非点収差の１Ｄに対応する等価非点収差線の間で２９．５°の角度を持つように設定される。判定基準における度数については、目標値は、４０°の角度に対応する目の下降での５Ｄである近くの視点での度数に対応する等価度数線の間で１７．５°の角度を持つように設定される。
【０１８１】
修正されうる仮想着用者眼科用レンズエルゴラマシステムのパラメータは、追加、仮想多焦点眼科用レンズのプリズム、広角角度、および注視方向の関数としての距離の再区分である。
【０１８２】
仮想着用者眼科用レンズエルゴラマシステムの他のパラメータは、標準値に設定される。すなわち、目の回転中心と仮想レンズとの間の距離：２５．５ｍｍ、仮想レンズの基本曲線：６．２５Ｄ、仮想レンズ側の緊張制約：０．３ｍｍ、仮想レンズの中心の緊張制約：１．９ｍｍ、および、全巻き角０°である。
【０１８３】
本発明の方法によって決定された仮想着用者眼科用レンズエルゴラマシステムは、仮想多焦点眼科用レンズの表面の追加：２．５５Ｄ、仮想多焦点眼科用レンズのプリズム：０プリズムジオプトリー、広角角度：１０°、および、すべての注視方向に対する無限大の対象距離を有する。
【０１８４】
図２４ａおよび図２４ｂはそれぞれ、従来技術の方法を用いて得られた累進多焦点レンズの、度数等高線プロットと、非点収差等高線プロットとを表す。
【０１８５】
図２５ａおよび図２５ｂはそれぞれ、本発明の方法を用いて得られた累進多焦点レンズの、度数等高線プロットと、非点収差等高線プロットとを表す。
【０１８６】
図２４ａと図２５ａとを比較すると、４０°の角度に対応する注視方向での５Ｄに対応する等価度数線２０の幅が、従来技術の方法を用いて得られた眼科用レンズの１１°から、本発明に係る方法を用いて得られた眼科用レンズの１７．５°へと移動していることがわかる。
【０１８７】
さらに、図２４ｂと図２５ｂとを比較すると、４０°の角度に対応する注視方向での非点収差の１Ｄに対応する等価非点収差線２２の幅が、従来技術の方法を用いて得られた眼科用レンズの２９．５°から、本発明に係る方法を用いて得られた眼科用レンズの２９．５°へと、変化がないことがわかる。
【０１８８】
〔実施例４〕
実施例４は、多焦点眼科用レンズの場合における本発明の方法の応用に対応する。
【０１８９】
図２６ａおよび図２６ｂはそれぞれ、実施例４で用いられる、基本４Ｄ、追加２．５Ｄを有する光学基準表面の、球等高線プロットと、円筒等高線プロットとを表す。
【０１９０】
着用者の指示は、遠くの視点での度数０Ｄおよび追加２．５Ｄである。高次収差における目標値は、１．５倍の減少された高次収差の２乗平均平方根ＲＭＳの最大値を持つように設定される。
【０１９１】
修正されうる仮想着用者眼科用レンズエルゴラマシステムのパラメータは、着用者の瞳径である。
【０１９２】
仮想着用者眼科用レンズエルゴラマシステムの他のパラメータは、標準値に設定される。すなわち、目の回転中心と仮想レンズとの間の距離：２５．５ｍｍ、仮想レンズの基本曲線：６．２５Ｄ、仮想レンズ側の緊張制約：０．３ｍｍ、仮想レンズの中心の緊張制約：１．９ｍｍ、および、全巻き角０°である。
【０１９３】
本発明の方法によって決定される仮想着用者眼科用レンズエルゴラマシステムは、６ｍｍに設定された瞳径を有する。
【０１９４】
図２７は、本発明の方法を用いないで得られた眼科用レンズの等価高次収差ＲＭＳを表す。
【０１９５】
図２８は、本発明の方法によって決定される仮想着用者眼科用レンズエルゴラマシステムに基づいた最適化方法を用いた後に得られた眼科用レンズの等価高次収差ＲＭＳを表す。
【０１９６】
図２７と図２８とを比較すると、等価高次収差３０の最大値が、従来技術の方法を用いて得られた眼科用レンズの２．４μｍから、本発明に係る方法を用いて得られた眼科用レンズの１．３μｍへと減少していることがわかる。
【０１９７】
本発明は、実施形態の補助を用いて、一般的な発明概念を限定することなく、上述された。特に、本発明は、最適化によって仮想光学システムを計算する方法を提供し、この光学システムは全種類の光学レンズであり、特に、眼科用レンズ、例えば、単一視覚（球、円環）、二焦点、多焦点、非球面レンズ（など）である。
【図面の簡単な説明】
【０１９８】
【図１】本発明に係る方法のステップのフローチャートを表す。
【図２】レンズプラス目システムの概略図を示す。
【図３】目の回転中心からの光線の追跡を示す。
【図４】目の入射瞳からの光線の追跡を示す。
【図５】周辺視覚のプリズム偏差を示す。
【図６】眼球偏差を示す。
【図７】瞳光線フィールド偏差を示す。
【図８】中央視覚の対象視野を示す。
【図９】水平な対象視野を示す。
【図１０】中央視覚の水平なプリズム偏差を示す。
【図１１】トータルの対象視野を示す。
【図１２】中央視覚の画像視野を示す。
【図１３】周辺視覚の対象視野を示す。
【図１４】周辺視覚の画像視野を示す。
【図１５】目の倍率を示す。
【図１６ａ】こめかみの移動を示す。
【図１６ｂ】こめかみの移動を示す。
【図１７ａ】実施例１で用いられる光学基準表面の、経度線に沿った球プロフィールを表す。
【図１７ｂ】実施例１で用いられる光学基準表面の、球等高線プロットを表す。
【図１７ｃ】実施例１で用いられる光学基準表面の、円筒等高線プロットを表す。
【図１８ａ】従来技術の方法を用いて得られた、実施例１に沿った累進多焦点レンズの、経度線に沿った度数プロフィールを表す。
【図１８ｂ】従来技術の方法を用いて得られた、実施例１に沿った累進多焦点レンズの、度数等高線プロットを表す。
【図１８ｃ】従来技術の方法を用いて得られた、実施例１に沿った累進多焦点レンズ、の非点収差等高線プロットを表す。
【図１９ａ】本発明の方法を用いて得られた、実施例１に沿った累進多焦点レンズの、経度線に沿った度数プロフィールを表す。
【図１９ｂ】本発明の方法を用いて得られた、実施例１に沿った累進多焦点レンズの、度数等高線プロットを表す。
【図１９ｃ】本発明の方法を用いて得られた、実施例１に沿った累進多焦点レンズの、非点収差等高線プロットを表す。
【図２０ａ】実施例２で用いられる光学基準表面の、経度線に沿った球プロフィールを表す。
【図２０ｂ】実施例２で用いられる光学基準表面の、球等高線プロットを表す。
【図２０ｃ】実施例２で用いられる光学基準表面の、円筒等高線プロットを表す。
【図２１ａ】従来技術の方法を用いて得られた、実施例２に沿った累進多焦点レンズの、経度線に沿った度数プロフィールを表す。
【図２１ｂ】従来技術の方法を用いて得られた、実施例２に沿った累進多焦点レンズの、度数等高線プロットを表す。
【図２１ｃ】従来技術の方法を用いて得られた、実施例２に沿った累進多焦点レンズの、非点収差等高線プロットを表す。
【図２２ａ】本発明の方法を用いて得られた、実施例２に沿った累進多焦点レンズの、経度線に沿った度数プロフィールを表す。
【図２２ｂ】本発明の方法を用いて得られた、実施例２に沿った累進多焦点レンズの、度数等高線プロットを表す。
【図２２ｃ】本発明の方法を用いて得られた、実施例２に沿った累進多焦点レンズの、非点収差等高線プロットを表す。
【図２３ａ】実施例３で用いられる光学基準表面の、球等高線プロットを表す。
【図２３ｂ】実施例３で用いられる光学基準表面の、円筒等高線プロットを表す。
【図２４ａ】従来技術の方法を用いて得られた、実施例３に沿った累進多焦点レンズの、度数等高線プロットを表す。
【図２４ｂ】従来技術の方法を用いて得られた、実施例３に沿った累進多焦点レンズの、非点収差等高線プロットを表す。
【図２５ａ】本発明の方法を用いて得られた、実施例３に沿った累進多焦点レンズの、度数等高線プロットを表す。
【図２５ｂ】本発明の方法を用いて得られた、実施例３に沿った累進多焦点レンズの、非点収差等高線プロットを表す。
【図２６ａ】実施例４で用いられる光学基準表面の、球等高線プロットを表す。
【図２６ｂ】実施例４で用いられる光学基準表面の、円筒等高線プロットを表す。
【図２７】従来技術の方法を用いて得られた、実施例４に沿った眼科用レンズの多焦点付加表面の高次の収差ＲＭＳプロットを表す。
【図２８】本発明の方法を用いて得られた、実施例４に沿った眼科用レンズの多焦点付加表面の高次の収差ＲＭＳプロットを表す。
【図１】
0005918137.tif 000018
【図２】
0005918137.tif 000019
【図３】
0005918137.tif 000020
【図４】
0005918137.tif 000021
【図５】
0005918137.tif 000022
【図６】
0005918137.tif 000023
【図７】
0005918137.tif 000024
【図８】
0005918137.tif 000025
【図９】
0005918137.tif 000026
【図１０】
0005918137.tif 000027
【図１１】
0005918137.tif 000028
【図１２】
0005918137.tif 000029
【図１３】
0005918137.tif 000030
【図１４】
0005918137.tif 000031
【図１５】
0005918137.tif 000032
【図１６ａ】
0005918137.tif 000033
【図１６ｂ】
0005918137.tif 000034
【図１７ａ】
0005918137.tif 000035
【図１７ｂ】
0005918137.tif 000036
【図１７ｃ】
0005918137.tif 000037
【図１８ａ】
0005918137.tif 000038
【図１８ｂ】
0005918137.tif 000039
【図１８ｃ】
0005918137.tif 000040
【図１９ａ】
0005918137.tif 000041
【図１９ｂ】
0005918137.tif 000042
【図１９ｃ】
0005918137.tif 000043
【図２０ａ】
0005918137.tif 000044
【図２０ｂ】
0005918137.tif 000045
【図２０ｃ】
0005918137.tif 000046
【図２１ａ】
0005918137.tif 000047
【図２１ｂ】
0005918137.tif 000048
【図２１ｃ】
0005918137.tif 000049
【図２２ａ】
0005918137.tif 000050
【図２２ｂ】
0005918137.tif 000051
【図２２ｃ】
0005918137.tif 000052
【図２３ａ】
0005918137.tif 000053
【図２３ｂ】
0005918137.tif 000054
【図２４ａ】
0005918137.tif 000055
【図２４ｂ】
0005918137.tif 000056
【図２５ａ】
0005918137.tif 000057
【図２５ｂ】
0005918137.tif 000058
【図２６ａ】
0005918137.tif 000059
【図２６ｂ】
0005918137.tif 000060
【図２７】
0005918137.tif 000061
【図２８】
0005918137.tif 000062